(57)【要約】  本発明は、干渉を引き起こすように、セルにおける他のＵＥデバイスより大幅に高い高度でセルにおいて動作する第１ユーザ機器（ＵＥ）デバイスによって引き起こされるモバイル通信システムにおける干渉を低減する方法を提供し、当該方法は、モバイル通信システムによって異常な高度であるとみなされる高度で第１ＵＥデバイスが動作することを検出する段階と、第１ＵＥデバイスの動作を制御することによって、異常な高度で動作する第１ＵＥデバイスによって引き起こされる干渉を低減する段階とを備える。
2020529757.tif 000002
【特許請求の範囲】
【請求項１】
干渉を引き起こすように、セルにおける他のＵＥデバイスより大幅に高い高度で前記セルにおいて動作する第１ユーザ機器デバイス（第１ＵＥデバイス）によって引き起こされるモバイル通信システムにおける干渉を低減する方法であって、前記方法は、
前記モバイル通信システムによって異常な高度であるとみなされる高度で前記第１ＵＥデバイスが動作することを検出する段階と、
前記第１ＵＥデバイスの動作を制御することによって、前記異常な高度で動作する前記第１ＵＥデバイスによって引き起こされる干渉を低減する段階と
を備える方法。
【請求項２】
前記第１ＵＥデバイスは、予め定められた高度を超えた場合、高度をサービング基地局に報告する、請求項１に記載の方法。
【請求項３】
前記予め定められた高度は、ネットワーク事業者によって設定可能である、請求項２に記載の方法。
【請求項４】
前記モバイル通信システムによって提供されるセルラカバレッジは、カバレッジ層に細分化され、前記モバイル通信システムは、前記第１ＵＥデバイスが低高度層から高高度層に移行したときを検出し、その結果、ハンドオーバ手順が実行される、請求項１に記載の方法。
【請求項５】
前記モバイル通信システムの基地局は、前記第１ＵＥデバイスに向かう無線ビームの角度を判定することによって、前記第１ＵＥデバイスの前記高度を判定する、請求項１または４に記載の方法。
【請求項６】
前記モバイル通信システムは、特定の位置またはセルについて、異常な高度とみなされる高度のデータベースを維持することによって、異常な高度とみなされるものを変化させる、請求項１から５のいずれか一項に記載の方法。
【請求項７】
前記第１ＵＥデバイスのサービング基地局が、１または複数の近隣基地局と情報を交換し、前記１または複数の近隣基地局に、前記第１ＵＥデバイスのリソース占有データを通知することにより、前記１または複数の近隣基地局のうち少なくとも１つに、前記第１ＵＥデバイスを起点とする信号の検出および測定を実行させる、請求項１から６のいずれか一項に記載の方法。
【請求項８】
前記交換は、前記第１ＵＥデバイスの識別子、サービングセルの識別子、少なくとも１つの干渉閾値のうち少なくとも１つを含む要求メッセージを送信することによって実行される、請求項７に記載の方法。
【請求項９】
前記１または複数の近隣基地局は、前記サービング基地局にメッセージを送信して、前記第１ＵＥデバイスによって引き起こされる干渉の程度を報告する、請求項７または８に記載の方法。
【請求項１０】
前記サービング基地局によって送信される前記情報は、前記第１ＵＥデバイスを起点とする前記信号の反復的な検出および測定を実行し、反復的な報告メッセージを前記サービング基地局へ提供する必要があることを前記１または複数の近隣基地局に指示する反復インジケータを含む、請求項９に記載の方法。
【請求項１１】
サービング基地局は、
前記第１ＵＥデバイスのアップリンク送信電力を低減すること、
より長いハイバネーション周期を有するように前記第１ＵＥデバイスを設定すること、
前記第１ＵＥデバイスの無線送信機をオフにすること、
サービス制限を前記第１ＵＥデバイスに適用すること、
前記第１ＵＥデバイスのアップリンクトラフィックによって使用される物理リソースを再設定すること、
前記第１ＵＥデバイスを別のセルまたは周波数にハンドオーバすることをトリガすること、
全方向式アップリンク送信特性を指向性アップリンク送信特性に切り替えること、
特別なセルアドミッション制御法を適用すること、
別の無線アクセス技術へのハンドオーバをトリガすること、および、
アップリンクリソース占有協調プロセスに参加すること
のうち１つを実行することによって、前記第１ＵＥデバイスによって引き起こされる干渉を低減する、請求項１から１０のいずれか一項に記載の方法。
【請求項１２】
前記第１ＵＥデバイスは、高度に関連する干渉の抑制を実行するための能力をサービングセルに報告する、請求項１１に記載の方法。
【請求項１３】
前記異常な高度は、基地局アンテナの取付け高度、または、リモートラジオヘッドの高度より高い高度である、請求項１から１２のいずれか一項に記載の方法。
【請求項１４】
セルラモバイル通信ユーザ機器（ＵＥ）デバイスを組み込む無人航空機を動作させる方法であって、前記ＵＥは、トリガイベントが検出された後に、高度測定結果をサービング基地局へ送信するよう設定される、方法。
【請求項１５】
前記トリガイベントは、予め定められた高度閾値を超えること、前記サービング基地局から制御メッセージを受信すること、および、予め定められた条件を満たすネットワークアクセス領域に入ることのうち少なくとも１つである、請求項１４に記載の方法。
【請求項１６】
前記高度測定結果は、スケジュールに従って定期的に送信される、請求項１４または１５に記載の方法。
【発明の詳細な説明】
【技術分野】
【０００１】
本発明は、他のＵＥとは実質的に異なる高度で動作するユーザ機器デバイス（ＵＥ）によって引き起こされる干渉の制御に関する。本発明は、ＬＴＥおよびＬＴＥ‐Ａｄｖａｎｃｅｄ仕様の３ＧＰＰスイートに従うセルラ通信システムにおいて使用される機能エンティティおよびプロトコルに関する。また、本発明は、将来の５Ｇ規格において実現され得る。以下では、「高度」という用語は、例えば気圧計を使用して高度が測定される場合、地上の高さを意味し得て、または、例えばＧＰＳ信号を使用して高度が測定される場合、海面の上の高さを意味し得る。
【背景技術】
【０００２】
３ＧＰＰ  ＴＳ  ３６．３０６は、複数のＵＥが異なる値をシグナリングする可能性がある機能について、様々なＵＥ無線アクセス能力パラメータを列挙している。３ＧＰＰ  ＴＳ  ３６．３３１は、上記の情報要素の符号化を定義し、ＵＥ能力転送手順の文脈において、ＲＲＣプロトコル層で交換されるメッセージを説明する。
【０００３】
ネットワークは、特定のＵＥの（最初または追加の）能力情報を必要とするとき、ＲＲＣ＿ＣＯＮＮＥＣＴＥＤにおいて、ＵＥに対してこの手順を開始し得る。基地局（ｅＮｏｄｅＢ、ｅＮＢ）は、ＵＥを設定するとき、および、ＵＥをスケジューリングするとき、シグナリング能力パラメータに配慮することが要求される。
【０００４】
ＵＥがＥ−ＵＴＲＡＮ無線アクセス能力を変更した場合、ＵＥは、上位層に対し、完全に新しいＲＲＣ接続を使用して、ＵＥ無線アクセス能力の更新をもたらす、必要な非アクセス層（ＮＡＳ）手順を開始することを要求する。
【０００５】
任意のＵＥの無線アクセス能力は、Ｅ‐ＵＴＲＡ、ＵＴＲＡ、ＧＥＲＡＮ−ＣＳ、ＧＥＲＡＮ−ＰＳ、ＣＤＭＡ２０００のための能力など、無線アクセス技術（ＲＡＴ）固有の能力の複数の組を含み得るので、情報の全体の組が非常に大きくなり得る。ＲＲＣ＿ＩＤＬＥからＲＲＣ＿ＣＯＮＮＥＣＴＥＤへの状態移行の間のＬＴＥ  Ｕｕエアインタフェースに対する負荷を低減するべく、移動性管理エンティティ（ＭＭＥ）は、ＵＥの能力を記憶し、Ｓ１インタフェースを介して、最初のＵＥコンテキストのセットアップ中に、それらを基地局（ｅＮｏｄｅＢ）へ提供し得る。
【０００６】
ＭＭＥがＵＥ能力の有効な組を有しない場合、基地局（ｅＮｏｄｅＢ）は、ＵＥ  Ｃａｐａｂｉｌｉｔｙ  Ｅｎｑｕｉｒｙ  ＲＲＣメッセージを使用して、モバイルデバイスから能力を直接取得することを選択し得る。このメッセージは、無線アクセス能力を転送することをＵＥが要求されたＲＡＴの一覧を含み得る。それに応答して、要求されたＵＥの無線アクセス能力を基地局（ｅＮｏｄｅＢ）へ転送するために、ＵＥ  Ｃａｐａｂｉｌｉｔｙ  Ｉｎｆｏｒｍａｔｉｏｎ  ＲＲＣメッセージが使用される。ＵＥ  Ｃａｐａｂｉｌｉｔｙ  Ｉｎｆｏｒｍａｔｉｏｎ  ＲＲＣメッセージは、（いくつかある中で）「ＵＥ  Ｅ−ＵＴＲＡＮ能力」情報要素、および、必須の特徴について定義された特徴グループインジケータを含み得る。
【０００７】
ＬＴＥにおける直接のデバイスツーデバイス（Ｄ２Ｄ）通信のために、ＰＣ５エアインタフェース（サイドリンク）が、３ＧＰＰ  Ｒｅｌ−１２タイムフレームの間に指定された。ＬＴＥにおけるサイドリンク通信の導入についての最初の使用事例は、公共安全に関連した。配備されたＬＴＥネットワークは、自動車産業のために、「コネクテッドカー」の構想を実現する機会も提供するので、車両通信のためのＬＴＥサポートが研究され、Ｒｅｌ−１４タイムフレームの間に、３ＧＰＰにおいて、後に指定された。一般的にはＶ２Ｘサービス（車両‐車両間Ｖ２Ｖ、車両‐インフラストラクチャ間Ｖ２Ｉ、車両‐ネットワーク間Ｖ２Ｎ、車両‐歩行者間Ｖ２Ｐを含む）と称される、様々な車両通信サービスをサポートする必要がある機能強化は、例えば、サイドリンクリソース割り当て、物理層構造、および、同期に関連する。しかしながら、車両通信シナリオは、ＬＴＥ  ＰＣ５インタフェースだけに関連するものではなく、それらの一部は、追加的に、ＬＴＥ  Ｕｕインタフェースを含み得る（それにより、ＵｕおよびＰＣ５を組み合わせる）。Ｖ２Ｘサービスの最大効率は、動作シナリオを適切に選択／切り替えることによって達成され得る。
【０００８】
すべてのサイドリンク（ＳＬ）通信は、ＬＴＥシステムのアップリンクリソース（のサブセット）上で生じる、すなわち、ＬＴＥ  ＰＣ５エアインタフェースは、ＬＴＥ  Ｕｕエアインタフェース上のアップリンク送信について指定された同一周波数／時間リソースを（ある程度）使用する。換言すれば、ＦＤＤ−ＬＴＥの場合、アップリンクキャリア周波数がサイドリンク通信に使用され、ＴＤＤ‐ＬＴＥの場合、アップリンクサブフレームが所与のセルにおけるサイドリンク通信のために使用される。ＬＴＥ  Ｕｕエアインタフェースは、アップリンクおよびダウンリンクトラフィックをサポートし、ＬＴＥ  ＰＣ５エアインタフェースは、Ｄ２ＤおよびＶ２Ｘの使用事例について定義されるサイドリンクインタフェースである。
【０００９】
２０１７年３月のＲＡＮ  Ｐｌｅｎａｒｙ  ＃７５の間に、「航空機についてのサポートの強化」に関する新しい研究項目が議論され、ドキュメントＲＰ−１７０７７９において、ＲＡＮワーキンググループについて承認された。
【００１０】
この研究項目を３ＧＰＰに導入する動機は、ドローン（または、無人航空機、ＵＡＶ）の数の増大に基づいている。ドローンについての使用事例の例には、宅配便、捜索救難、重要なインフラストラクチャのモニタリング、野性動物保護、飛行カメラ、監視が含まれる。そして、同様の使用事例は、今後数年において登場する可能性がある。上記の使用事例のうちの多くは、ドローンをＵＥとしてセルラ通信システムに（例えば、ＬＴＥネットワークに）接続することから恩恵を受け得る。その結果、ますます多くのこれらのドローンがＵＥ機能を装備している（または、今後装備する）。
【００１１】
原則として、ＵＥ機能をドローンに導入するには、２つの方式がある。第１は、人々がセル電話を自分のドローンに取り付けることが可能にするドローンである。第２は、組み込みのセルラモデムを装備した、商用のドローンである。（いずれかの可能な方式で）ＵＥ機能を装備したドローンは、ここでは、「ドローン‐ＵＥ」と称される。
【００１２】
将来、ドローン‐ＵＥの大集団が、地上における（または、それに近い）従来のＵＥ集団に追加され得て、一部のモバイルネットワーク事業者（ＭＮＯ）は、ドローン‐ＵＥによって引き起こされる将来のデータトラフィック増大のために、現在のセルラ通信ネットワークをより良く準備する必要があることに気付いている。
【００１３】
「異常な」高度（すなわち、所与の位置における「従来」のＵＥによって通常使用される高さより大幅に高い、地上からの高度）を飛行するドローン‐ＵＥのアップリンク信号は、近隣セルにおいて強い干渉を引き起こし得る。干渉はダイレクトネイバーに限定されず、むしろ、この干渉は、第２の次の、第３の次の（以下同様）近隣セル（すなわち、より上位の「近隣グレード」のネイバー）にも影響を及ぼす可能性がある。
【００１４】
現在、異常な高度層を飛行しているドローン‐ＵＥをＭＮＯが検出するための手段は無い。また、地上における従来のＵＥの知覚されるスループット性能（ＵＬ周波数バンドにおいて動作するＤ２ＤおよびＶ２Ｘサービスを含む）が劣化しないように、例えば、そのようなドローン‐ＵＥの動作を制御することによって（例えば、最大送信電力、最大データレートなどを限定することによって）、または、そのようなドローン‐ＵＥがネットワークに入ることを制限することによって、または、影響を受けるセル間で無線リソースを協調することによって、ドローン‐ＵＥによって引き起こされる干渉を緩和するための手段は無い。
【００１５】
ＵＳ  ２０１７／０１７１７６１  Ａ１は、基地局として機能する無人航空機を使用して、干渉および移動性管理に対処するための技法を記載している。ＵＳ  ２０１７／０１７５４１３  Ａ１は、一般的な複数のドローンの動作を説明する例であるが、モバイル通信の問題には関連していない。ＵＳ  ２０１７／００１３４７８  Ａ１は、セルタワー干渉を低減するべく、ワイヤレスネットワークをモニタリングするためのドローンの使用を説明する。
【００１６】
ＫＤＤＩによって提出された３ＧＰＰドキュメント３ＧＰＰ  ＴＳＧ−ＲＡＮ２  Ｍｅｅｔｉｎｇ  ＃９８  Ｒ２−１７０５９９９は、その高度に応じた、１つの基地局から別の基地局へのドローン‐ＵＥのハンドオーバの成功に関連する測定を説明する。このドキュメントは、ドローン‐ＵＥが引き起こす干渉については記載していないが、ドローン‐ＵＥが他の基地局からの干渉を受け得ることを示している。
【００１７】
ＨｕａｗｅｉおよびＨｉＳｉｌｉｃｏｎによって提出された３ＧＰＰドキュメント３ＧＰＰ  ＴＳＧ  ＷＧ１  Ｍｅｅｔｉｎｇ  ＃８９  Ｒ１−１７０７０１６は、ドローン‐ＵＥが、複数のセルについて、地上ＵＥのアップリンク信号に対する干渉を引き起こし得て、近隣セル間の干渉協調を考慮すべきことを示しており、解決策は、近隣セルが同一リソース上でＵＥをスケジューリングすることを回避できるように、または、そのリソース上で、セル中央のＵＥ（すなわち、ドローン‐ＵＥから遠いもの）をスケジューリングできるように、ドローン‐ＵＥのサービングｅＮＢが、ドローン‐ＵＥのリソース利用率を近隣セルに通知することである。ドローン‐ＵＥが動作する高さに対する依存はない。
【００１８】
ＨｕａｗｅｉおよびＨｉＳｉｌｉｃｏｎによって提出された３ＧＰＰ  ｄｏｃｕｍｅｎｔ  ３ＧＰＰ  ＴＳＧ−ＲＡＮ２  Ｍｅｅｔｉｎｇ  ＃９８  Ｒ２−１７０４９９７は、ドローン‐ＵＥが、近隣セルおよび他のＵＥからの干渉を受け得ることを示し、ハンドオーバ基準を説明している。ドローン‐ＵＥに対するビームフォーミングも示唆されている。
【００１９】
ＵＳ  ２０１７／０１５０３７３  Ａ１は、例えばハンドオーバの前に、Ａ  ドローン‐ＵＥアンテナを基地局に向けることを説明している。
【発明の概要】
【００２０】
本発明は、干渉を引き起こすように、セルにおける他のＵＥデバイスより大幅に高い高度でセルにおいて動作する第１ユーザ機器（ＵＥ）デバイスによって引き起こされるモバイル通信システムにおける干渉を低減する方法を提供し、当該方法は、モバイル通信システムによって異常な高度であるとみなされる高度で第１ＵＥデバイスが動作することを検出する段階と、第１ＵＥデバイスの動作を制御することによって、異常な高度で動作する第１ＵＥデバイスによって引き起こされる干渉を低減する段階とを備える。
【００２１】
本発明の第１ＵＥデバイスは典型的には無人航空機である、または、いわゆる「ドローン」であり、以降、ドローン‐ＵＥと称される。
【００２２】
一般に、本発明は、異常な高い位置に起因する高い干渉を引き起こすＵＥの問題、および、ネットワーク支援を用いてこれをどのように検出できるかに関する。さらに、そのような干渉を回避または限定するための様々な解決策が提供される。当該解決策は、モバイルネットワーク事業者（ＭＮＯ）が、近隣セルにおける他のＵＥ、特に、地上の近くに位置するもの（Ｄ２ＤおよびＶ２Ｘ動作に関与するものを含む）をそのような干渉から保護することを可能にする。
【００２３】
本発明の第１態様は、（例えば、ＵＥがドローンに取り付けられている、または、配備されているとき）ドローン‐ＵＥが「異常な」、すなわち、「所与の位置について、通常の高度より高い」高度において動作するかどうかを検出することである。これらの「通常の高度より高い」とは、例えば、基地局アンテナまたはリモートラジオヘッドの取付け高さより高い高度であり得る。また、それは、ドローン‐ＵＥが、再び従来のＵＥのように扱うことができる「通常の高度」の範囲に降りてくるときを検出するための発明の一部である。
【００２４】
本発明の第２態様は、「異常な高度」および「通常の高度」の位置依存的な定義である。いくつかの領域（例えば、主に住宅から成る郊外）において、地上１５ｍは、それより上において、従来のＵＥが動作することを期待できなくなる閾値を表し得るが、他のエリア（高層建築物がある大都市）では、１５０ｍ、または、更には最大４００ｍが適切な閾値になり得る。したがって、地域の有効な閾値を取得するためのデータベース問い合わせ、および、「通常の高度より高い」が実際に何を意味するかを決定するためのケースバイケースの決定が、本発明の一部である。
【００２５】
本発明の第３態様は、ドローン‐ＵＥによって引き起こされる干渉をＭＮＯが低減する（または、少なくとも特定の範囲に維持する）ための手段を提供する。ＭＮＯは、近隣セルにおけるドローン‐ＵＥによって引き起こされる、測定された干渉レベルに基づいて、ドローン‐ＵＥの無線アクセスを慎重に制御し得る。未知のソースからの電力の累計量だけを近隣セルにおいて検出できる最新技術とは対照的に、本方法は、サービングセル以外のセルにおける特定のドローン‐ＵＥのＵＬ信号を検出および測定することを可能にする。すなわち、調査されるデバイスによって実際に引き起こされる個々の干渉がそのサービングセルに報告され得る。このために、関与する基地局の間のドローン‐ＵＥ固有リソース占有データ（個々に設定されるＵＬ基準信号を含む）の交換（ノード間シグナリング）が本発明において定義される。
【００２６】
本発明の第４態様は、前の段落において記載されるように、ドローン‐ＵＥによって引き起こされる干渉を低減するべく、ＭＮＯに提供される手段に密接に関連する。最適な妥協点に到達するべく、反復制御ループを確立し、無線アクセス設定を徐々に調節することを提案する。換言すれば、ドローン‐ＵＥのパラメータの段階的な低減または増大を適用して、各調節段階の後に、近隣セルにおけるドローン‐ＵＥによって引き起こされる干渉を測定する、および、ドローン‐ＵＥにサービスを提供するセルにフィードバックを提供することを提案する。
【００２７】
本発明の第５態様は、段階的により多くの近隣基地局（最初にダイレクトネイバー、次に第２の次のネイバー、その後、第３の次のネイバー、以下同様）が関与する階層的干渉レベル測定手順である。この階層手順には、２つの可能な方向性がある。
【００２８】
本手順は、サービングセルに関連する基地局によって開始される。近隣基地局は、（「異常な」高度で動作する）特定のドローン‐ＵＥのＵＬ信号が近隣セルにおいて、実際にどの程度のＵＬ信号劣化を引き起こすかを尋ねられる。そして、少なくとも、ドローン‐ＵＥが実際にＵＬ信号劣化を引き起こすセルに関連する、適切な近隣基地局が返答する。要求は、上位近隣グレードの近隣基地局に伝搬し、それにより、段階的により多くの近隣基地局を関与させる。
【００２９】
手順は、ＵＬ信号劣化が問題であるセルに関連する基地局によって開始される。近隣基地局は、検出されたＵＬ信号干渉の原因であり得るドローン‐ＵＥを操作しているか（またはサービスを提供しているか）尋ねられる。ここでも、要求は、上位近隣グレードの近隣基地局に伝搬し得て、それにより、プロセスにおいて段階的により多くの近隣基地局を関与させる。ＵＬ信号劣化を引き起こしているドローン‐ＵＥのサービングセルに関連する基地局は、次に、引き起こされた干渉を低減すること、および／または、要求の起点である基地局に返答することを選択し得る。
【００３０】
本発明の第６態様は、近隣セルにおいて引き起こされた干渉を低減することを目的とした、無線アクセスパラメータの調節に関する。例えば、この目的は、以下の手段、すなわち、ドローン‐ＵＥにおけるＵＬ送信電力を低減する；ドローン‐ＵＥのために長いハイバネーション周期を設定する；ドローン‐ＵＥの無線送信機をオフにする；サービス制限を適用する（すなわち、ドローン‐ＵＥについて、特定のベアラまたはサービスを無効にする）；（現在のサービングセルを変更することなく）ドローン‐ＵＥのＵＬトラフィックに使用されるように物理リソースを再設定する；例えば、低い周波数からより高い周波数へ（その逆も成立する）、スモールセルからマクロセルへ（その逆も成立する）、別のセルまたは周波数層へのハンドオーバをトリガする；特別なセルアドミッション制御法を使用して、例えば、特定のセルへのドローン‐ＵＥのアクセスを不許可し（これらが「異常な高度」で動作する限り）、特定のセルへのドローン‐ＵＥのアクセスを許可する（これらが再び「通常の」高度で動作するとすぐに）ことによって、主に全方向式ＵＬ送信の特性を、指向性の高いＵＬビーム送信に切り替える；別の無線アクセス技術（ＲＡＴ）へのハンドオーバをトリガする；近隣基地局（Ｄ２ＤおよびＶ２Ｘトラフィックのリソース割り当てを含む）、例えば、第１グレードネイバー（すなわち、ダイレクトネイバーのセル）、第２グレードネイバー、第３グレードネイバーとのＵＬリソース占有協調プロセスに参加し、従来の地上ＵＥの知覚されるスループット性能があまり劣化しないようにする、のうち少なくとも１つを適用することによって達成できる。
【００３１】
本発明の第７態様は、本発明の方法をサポートするＵＥ無線アクセス能力を強化することに関する。
【００３２】
本発明は、「異常な」高度を飛行するドローン‐ＵＥ（例えば、セルラモデムを装備した趣味または商用のドローン）によって引き起こされる将来のデータトラフィック増大のために、ＬＴＥなどのセルラ通信ネットワークを準備する方法を提供する。近隣セルにおけるそのようなデバイスによって引き起こされるＵＬ干渉の緩和のために、ネットワーク支援およびノード間シグナリング（例えば基地局間）に特に焦点を当てる。
【００３３】
ＭＮＯは、地上における従来のＵＥから「異常な」高度において動作しているドローン‐ＵＥを識別することが可能である。また、ＭＮＯは、干渉のソースを見つけ、ＵＬ劣化を回避する、または、徐々に制限することが可能であり、したがって、より高いシステムスループットを得る。加えて、地面に位置する従来のＵＥ集団（Ｄ２ＤおよびＶ２Ｘ動作に関与するものを含む）を保護するべく、様々な干渉緩和技法が提供される。
【００３４】
ここで、単に例示のためだけに、添付の図面を参照して、発明の実施形態を説明する。
【図面の簡単な説明】
【００３５】
【図１】基地局に接続されたＵＥ機能を装備し、近隣基地局において干渉を引き起こすドローンを示す。
【図２】基地局に接続されたＵＥ機能を装備し、デバイス‐デバイス間の動作に参加するＵＥの間で干渉を引き起こすドローンを示す。
【図３】高度に関連する情報を交換するメッセージの例示的な交換を示す。
【図４】階層セル構造、および、ドローン‐ＵＥの高さの角度測定の例示的な表現を示す。
【図５】ネットワークに接続された高度のデータベースを示す。
【図６】リソース占有データの交換を図示する概略図である。
【図７】干渉フィードバック情報の交換を図示する模式図である。
【図８】干渉問題を指示する情報の交換の模式図である。
【図９】干渉問題の解決策を示す情報の交換の模式図である。
【発明を実施するための形態】
【００３６】
低い高度において、「ドローン‐ＵＥ」は通常、従来のＵＥのように挙動するが、より高い高度では、無線伝搬特性が変化し、ドローン‐ＵＥのＵＬ信号は、見通し内伝搬条件に起因して、複数のセルに対する可視性がより高くなるので、問題となり得る。
【００３７】
詳細には、図１に図示されるように、そのような高空飛行ドローン‐ＵＥから送信されるＵＬ信号は、近隣セルにおける他のＵＥのＵＬ信号に対する干渉を劇的に増大させ得る。したがって、ドローン‐ＵＥのＵＬ信号は、地面に位置する／配備された他のＵＥ（例えばスマートフォン、ＩｏＴデバイスなど）に対するネガティブな影響を有し得る。
【００３８】
高飛行ドローン‐ＵＥによって送信されるＵＬ信号と、従来のゼロ高度ＵＥによって送信されるＵＥ信号との主な違いは、放射パターンが大幅に異なるので、ネットワーク計画段階の間に最初に使用された「従来の」地上ベースＵＥの想定される放射パターンは、もはや適用されないという点である。これは主に、より高い位置において、ドローン‐ＵＥと近隣セルとの間に、減衰させる障害物が少ないという事実に起因する。１つのセルによってサービスを提供されるドローン‐ＵＥが、ダイレクトネイバーのセルに対して干渉するより、第２の次、または、第３の次のセルに対して、はるかに大きく干渉することがあり得る。換言すれば、高空飛行ドローン‐ＵＥによってどの近隣セルが干渉されるかについての予想は、（「従来」のゼロ高度ＵＥと比較したとき、）はるかに難しくなる。その結果、セル計画は、すべてのＵＥに対して最適なものにならなることができない。
【００３９】
さらに、ドローン‐ＵＥの広範囲に可視であるＵＬ信号は、サイドリンク通信（例えば、Ｄ２ＤまたはＶ２Ｘの範囲）でも問題となり得る。なぜなら、すべてのＰＣ５トラフィックは、ＵＬリソース上で、すなわち、ＬＴＥ‐ＦＤＤの場合はアップリンク送信について指定された同一のアップリンクキャリア周波数上で、および、ＬＴＥ‐ＴＤＤの場合はアップリンク送信について指定された同一のアップリンクサブフレーム上で発生するように定義されているからである。図２は、近隣セルにおけるＤ２Ｄ（またはＶ２Ｘ）動作に関与する２つのＵＥ間で確立されるＳＬチャネルに対する、ドローン‐ＵＥのＵＬ信号によって引き起こされる干渉を示す。
【００４０】
また、ドローン‐ＵＥのＵＬ信号は、（図１に示すように）他のＵＥのＵＬ信号、および、（図２に示すように）Ｄ２Ｄ（またはＶ２Ｘ）動作に関与する２つのＵＥ間のＳＬ通信の両方に対する干渉を同時に引き起こし得る。
【００４１】
したがって、本明細書全体にわたって使用される「ＵＬ信号干渉」または「ＵＬ信号劣化」という用語は、明示的に、ＳＬ通信に対する干渉を含む。
【００４２】
原則として、ドローン‐ＵＥが「異常な」高度レベルに入るか、または、それから出て「通常」の高度レベルに戻るかを検出するための２つの異なる方式がある。Ａ）ドローン‐ＵＥは、その高度をネットワークインフラストラクチャに報告するよう設定される。または、Ｂ）ネットワークインフラストラクチャは、異なるカバレッジ層またはビームフォーミングによって、ドローン‐ＵＥの高度を決定する。選択肢Ａに関して、これは、以下のように実装され得る。
【００４３】
図３は、予め設定された高度閾値を超えたときに、例えば、農村地域において、ドローン‐ＵＥが１０ｍ〜１５ｍより高く飛行しているときに、ドローン‐ＵＥがインフラストラクチャ側にどのように通知するかを図示する。代替的に、この（任意選択の）インジケーションメッセージをインフラストラクチャ側へ送信するためのトリガは、（図４の文脈で詳細に記載されるように）ドローン‐ＵＥが、高高度カバレッジ層進入条件を満たすことであり得る。
【００４４】
そのようなトリガ（またはインジケーションメッセージ）が受信される場合、または、いずれかのトリガ（またはインジケーションメッセージ）とは関係なく、ネットワークインフラストラクチャ側は、ドローン‐ＵＥにおける通常の高度測定、および、ドローン‐ＵＥから基地局への、関連する測定サンプルの報告を設定することを選択し得る。設定は、例えば、周期性、更なる閾値、トリガイベント、測定および報告の粒度などを含み得る。１または複数の高度測定値の報告は、例えば、報告の周期性が設定されたとき、連続的なプロセスであり得る。一実施形態において、高度測定、および、報告設定は、（例えば、ドローン‐ＵＥが「通常」の高度層に戻ったとき）それより下ではドローン‐ＵＥが高度測定の報告を停止する閾値を含み得る。
【００４５】
デバイスの高度に関連する新規の測定の収集および報告のために、無線リソース管理測定（３ＧＰＰ  ＴＳ  ３６．３３１を参照）について定義される既存の測定設定および測定報告手順が再使用され得る。代替的に、新しい一対のＲＲＣメッセージが、この目的のために定義され得る。
【００４６】
閾値に関する限りは、インフラストラクチャ側は、専用シグナリングを介して、ドローン‐ＵＥにおいて、個々の高度閾値を設定し得る。代替的に、１または複数の基地局は、ドローン‐ＵＥのために、閾値パラメータ、例えば、それより上ではドローン‐ＵＥからの高度報告が期待される高さをブロードキャストし得る。これらの閾値のブロードキャストは、例えば、システム情報ブロードキャストメッセージにおいて行われ得る。この代替案では、有利なことに、基地局が、周囲のトポロジに典型的である１または複数の高さの値で設定され得る（「異常な高度」の位置依存的定義を説明する、本発明の第２態様の詳細を参照）。
【００４７】
選択肢Ｂに関連して、これは、以下のように実装され得る。
【００４８】
図４は、選択肢Ｂに係る２つのネットワークインフラストラクチャの変形例を図示する。第１の変形例は、「異なる高度層に基づく検出」と称され得る。
【００４９】
ここで、異なる高度において、２つの（またはより多くの）カバレッジ層が配備される（例えば、同一または異なる基地局によって提供される）。動作のＲＲＣ＿ＣＯＮＮＥＣＴＥＤモードにおけるドローン‐ＵＥが低高度カバレッジ層から高高度カバレッジ層にハンドオーバされるとき、関与するＲＡＮノードは、ドローン‐ＵＥが高さを増していること（または、高高度カバレッジ層から低高度カバレッジ層へのハンドオーバの場合、高さが減っていること）を検出できる。
【００５０】
第２変形例は、「ビームフォーミングに基づく検出」と称され得る。
【００５１】
（ＬＴＥ、ｅＮｏｄｅＢの場合において）セルラ通信システムの基地局に関連する、アンテナまたはリモートラジオヘッド、一般には、送信および受信点（ＴＲＰ）は、動作のＲＲＣ＿ＣＯＮＮＥＣＴＥＤモードにおいて、ドローン‐ＵＥにサービスを提供するためのビームフォーミング技法を使用する。ドローン‐ＵＥにサービスを提供するために使用されるビームが、事前に定義された閾値角度より上に上げられる場合、基地局は、理想的には、ドローン‐ＵＥからの推定距離と組み合わせて、地上からのドローン‐ＵＥの高度（ｈ１＋ｈ２）を計算するためにこの角度を使用し得る（図４における、ＴＲＰ  Ａによってドローン‐ＵＥへ向けられるビームの角度αを参照）。
【００５２】
選択肢Ｂ）のネットワークインフラストラクチャの変形例１）および２）の両方は、当然組み合わせることができる。例えば、高度層の少なくとも１つにおけるビームフォーミングが有効になり得る。
【００５３】
本発明の別の実施形態において、選択肢Ａ）およびＢ）は組み合わされる。例えば、選択肢Ｂ１）またはＢ２）に基づく高度の検出は、選択肢Ａ）に従って、ドローン‐ＵＥによる高度測定の設定をトリガし得る。
【００５４】
これらの検出方法のうち１または複数によって、基地局は、ドローン‐ＵＥの現在の高度についての知識を獲得し、これに応じて、以下で詳細に説明されるように、干渉緩和のためにドローン‐ＵＥの無線アクセス設定を調節することを選択し得る。同時に、ノード間シグナリングが、影響された近隣セルにおける干渉測定、および、対応するノード間報告を実行するためのフレームワークも調節され得る。
【００５５】
本発明を説明するべく、「異常な高度」および「通常の高度」の潜在的な定義をここで説明する。前者は例えば、基地局アンテナおよびリモートラジオヘッドの平均取付け高さより（大幅に）高い高度の範囲内にあり得る。後者は例えば、地上に位置する従来のＵＥ集団にサービスを提供するために設置された基地局アンテナおよび／またはリモートラジオヘッドの平均取付け高さより（大幅に）低い、または、それに等しい高度の範囲内にあり得る。
【００５６】
いくつかの領域において、地上１０ｍ〜１５ｍは、それより上では従来のＵＥが動作することを期待できない閾値を表し得て、他のエリア（高層建築物を有する大都市）では、１５０ｍ、または、最大４００ｍが適切な閾値であり得る。
【００５７】
理解できるように、「異常な高度」および「通常の高度」という用語は、相対的表現である。絶対値は、位置ごとに（例えば、都市中心部と郊外との間で）異なり得る。位置は、領域、郡、近隣、区域、企業の敷地（例えば、工場、プラント、または、オフィスビル）、学校の運動場、または、セルカバレッジエリア（のグループ）、または、トラッキングエリア（のグループ）であり得る。
【００５８】
本発明の文脈において、地域の有効な閾値を取得するためのデータベース問い合わせ、ならびに、「異常な高度」および／または「通常の高度」が所与の位置において実際に何を意味するかを決定するためのケースバイケースの決定は、したがって、本発明の一部である。図５は、インタフェースを介して基地局に接続された高度データベースを示す。データベースは、コアネットワーク（ＣＮ）に配置され得て、インタフェースはＳ１インタフェースであり得る。代替的に、データベースは、ＣＮの外部に配置され得て、インタフェースは、Ｓ１インタフェース以外のインタフェースであり得る。
【００５９】
一実施形態において、（同一の位置で）「異常な高度」に到達したかどうかの決定の閾値は、「通常の高度」に到達したかどうかを決定するための閾値と異なる。更に別の実施形態において、タイマ値は、ヒステリシスを回避するよう設定され得る。すなわち、ドローン‐ＵＥの高度が、一定時間にわたって、所与の閾値の下または上であるときだけ、ドローン‐ＵＥが「異常な高度」を飛行していること、または、「通常の高度」に戻ったことが最終的に決定される。これらのタイマ値はまた、位置依存的であり得て、図５の高度データベースから取得され得る。
【００６０】
発明の第３態様は、近隣セルにおけるドローン‐ＵＥのＵＬ信号の検出および測定に関する。図６および図７を参照されたい。
【００６１】
現在、セルにおける未知のソースからのＵＬ電力の累計量の検出だけが可能である。このことは、将来のドローン‐ＵＥ使用事例における干渉を効率的に緩和するのに十分ではない。したがって、本発明の範囲において、特定のドローン‐ＵＥのリソース占有データ（個々に設定されるＵＬ基準信号を含む）についての情報（「ドローン情報」）は、サービングセル（図６におけるＴＲＰ  Ａ）から１または複数の近隣セルへ交換され得て、ダイレクトネイバーのセルから開始し、次に、場合によっては、次の近隣セルに広がり、それにより、サービングセル以外のセルにおける特定のドローン‐ＵＥのＵＬ信号の検出および測定を可能にする。上位近隣グレードの近隣セルへシグナリングが広がることは、以下で説明する。
【００６２】
「ドローン情報」要求メッセージは、ドローン‐ＵＥの識別子、サービングセル（ＴＲＰ  Ａ）の識別子、１または複数の干渉閾値（場合によっては、各閾値のヒステリシスタイマ値を含む）、および、要求の伝搬のための、近隣セルの最大数、および／または、近隣関係の最大グレードを含み得る。干渉閾値は、近隣関係に応じて設定され得る（例えば、上位近隣グレードのセルについて、干渉閾値はより低いことがあり得る）。
【００６３】
選択肢は、特定のドローン‐ＵＥによって引き起こされるＵＬ劣化を受ける（そして、特定の報告基準を満たす）すべての近隣セルに、図７に示されるように、干渉の重大度をドローン‐ＵＥのサービングセルへ報告させることである。
【００６４】
「重大度レポート」応答メッセージは、サービングセル（ＴＲＰ  Ａ）（の識別子）に宛てられ、問題になっているドローン‐ＵＥの識別子、および、問題になっているドローン‐ＵＥによって引き起こされるＵＬ信号劣化が実際にどれほど酷いかについてのインジケーションを含み得る。これは、測定された干渉値、または、「影響された」もしくは「影響されていない」（すなわち、単純なＹＥＳ／ＮＯ）のインジケーションのいずれかであり得る。追加的に、「重大度レポート」応答メッセージは、干渉された近隣セル（＝報告するセル）の識別子と、最初の「ドローン情報」要求メッセージがどれほど（他の）近隣セルに伝搬したかをサービングセルに伝える情報要素とを含み得る。したがって、「重大度レポート」応答メッセージ、または、統合された「重大度レポート」応答メッセージのいずれか複数のインスタンスは、１つの「ドローン情報」要求メッセージへの返答として、サービングセル（ＴＲＰ  Ａ）において受信され得る。
【００６５】
「ドローン情報」要求メッセージおよび「重大度レポート」応答メッセージの両方は、ＴＳ  ３６．４１３において定義されるＳ１ＡＰ、または、ＴＳ  ３６．４２３において定義されるＸ２ＡＰにおけるいずれかのプロトコルエクステンションを使用して、Ｓ１インタフェースを介して、または、Ｘ２インタフェースを介して交換され得る。
【００６６】
「ドローン情報」要求メッセージは、特定のドローン‐ＵＥのリソース占有パターンについての情報（ＤＭ−ＲＳおよび／またはＳＲＳなど、個々に設定されたＵＬ基準信号、または、新しい種類のＵＬ基準信号についての情報を含む）を保持するので、ＴＲＰ  Ａによってサービスを提供される高空飛行ドローン‐ＵＥによって引き起こされる干渉によって影響され得る１または複数の近隣セル（ここでは、図６および図７におけるＴＲＰ  Ｂ）は、問題になっているドローン‐ＵＥによって引き起こされる干渉の厳密なレベルを判定すること、および、詳細なレポート、または、「重大度レポート」応答メッセージの一部として送り返される単純な干渉インジケーションのいずれかを生成することが可能である。新しい種類のＵＬ基準信号は、ドローン‐ＵＥ、および、本ドキュメントにおいて説明される干渉問題に固有であり得る。
【００６７】
本発明の第４態様は、前の段落において説明されたメッセージ交換フレームワークに基づく。サービングセルにおけるドローン‐ＵＥの無線アクセス設定の段階的調節の反復プロセスが定義された後に、１または複数の影響される近隣セルにおいて、いくつかの測定が行われ、サービングセルを操作する基地局と、近隣セルを操作する基地局との間のいくつかのノード間シグナリングが行われる。
【００６８】
詳細には、図６の「ドローン情報」要求メッセージは強化され得て、ドローン‐ＵＥによって引き起こされるＵＬ干渉を低減することを目的として、サービングセル（ＴＲＰ  Ａ）におけるドローン‐ＵＥ無線アクセスパラメータの繰り返し実行される変更について、近隣セルに通知する反復インジケータ（カウンタ値など）を保持する。次に、少なくとも１つの近隣セルは、ＵＬ干渉測定の別の反復を実行し、図７に示すように、「重大度レポート」応答メッセージにおいて、ドローン‐ＵＥにサービスを提供する基地局に運ばれる測定レポートの新しいインスタンスを編集する必要がある。このメッセージは、参照として、カウンタ値をサービングセルへエコーバックし得る。
【００６９】
本発明の第４態様に係る、この漸進的な干渉緩和方法は、干渉緩和と、ドローン‐ＵＥ動作の継続との間の最適な妥協点に到達するのに適している。
【００７０】
以下の表は、関与する基地局の間で新規の情報を交換するために使用され得る、図６および図７に記載の２つのノード間シグナリングメッセージについての可能な構造を示す。代替的に、本明細書に列挙される様々な情報要素は、既に存在するＳ１ＡＰまたはＸ２ＡＰメッセージに含まれ得る。
【００７１】
表１は、「ドローン情報」要求メッセージの構造の例を示す。
【００７２】
表１
【表１】
2020529757.tif 000003
表２は、「重大度レポート」応答メッセージの構造の例を示す。
【００７３】
表２
【表２】
2020529757.tif 000004
本発明の第５態様は、段階的により多くの近隣基地局が関与する階層的干渉レベル測定手順である（最初にダイレクトネイバー、次に第２の次のネイバー、その後、第３の次のネイバー、以下同様）。この階層手順には、２つの可能な方向性がある。
【００７４】
まず、サービングセルに関連する基地局は、手順を開始する。近隣基地局は、（「異常な」高度で動作する）特定のドローン‐ＵＥのＵＬ信号が近隣セルにおいて、実際にどの程度のＵＬ信号劣化を引き起こすかを尋ねられる。ＵＬ信号劣化が生じるセルに関連する適切な近隣基地局は、これに応じて返答する。これを実現するべく、「ドローン情報」要求メッセージおよび「重大度レポート」応答メッセージは、上位近隣グレードの近隣セルに伝搬し得る（すなわち、図６および図７に示される基地局Ｂを超えて、段階的により多くの基地局を関与させる）。
【００７５】
第２に、ＵＬ信号劣化が問題であるセルに関連する基地局は、検出されたＵＬ信号干渉の原因であり得る、何らかのドローン‐ＵＥを操作（またはサービスを提供）しているかどうかを近隣基地局に尋ねる。ＵＬ信号劣化を引き起こしているドローン‐ＵＥのサービングセルに関連する基地局は返答する（および、これに応じて反応することを選択し得る）。この方法は図８および図９に示される。図６および図７に図示されるメッセージと同様に、「干渉問題インジケーション」要求メッセージおよび「干渉問題確認」応答メッセージは、Ｓ１ＡＰまたはＸ２ＡＰプロトコルに従って定義され得る、または、既に存在するＳ１ＡＰまたはＸ２ＡＰメッセージに含まれ得る。
【００７６】
以下の表は、関与する基地局の間で情報を交換するために使用され得る、図８および図９に記載の２つのノード間シグナリングメッセージについての可能な構造を示す。代替的に、本明細書に列挙される様々な情報要素は、既に存在するＳ１ＡＰまたはＸ２ＡＰメッセージに含まれ得る。
【００７７】
表３は、「干渉問題インジケーション」要求メッセージの構造の例を示す。
【００７８】
表３
【表３】
2020529757.tif 000005
表４は、「干渉問題確認」応答メッセージの構造の例を示す。
【００７９】
表４
【表４】
2020529757.tif 000006
「命令」および「報告」のための２つの伝搬コンテナに関して、これらのコンテナにおけるフィールド値は、理想的には、コアネットワークと様々な基地局との間のＳ１インタフェースを介してメッセージが交換される場合、いくつかのコアネットワークエンティティ（例えばＭＭＥ）によって制御および／または設定され得る。これを行うことにより、ＭＮＯは、近隣基地局の間のメッセージの普及（すなわち、伝搬深度）を追跡することが可能となる。
【００８０】
図８および図９のメッセージの対は、図６および図７のメッセージの対に先行し得ることに注意すべきである（その逆も成立する）。換言すれば、「干渉問題インジケーション」要求メッセージは、本発明の第４態様に従って、サービングセルにおけるドローン‐ＵＥの無線アクセスパラメータの段階的調節のために、反復プロセスを開始し得る。
【００８１】
本発明の第６態様は、近隣セルにおいて引き起こされた干渉を低減することを目的とした、無線アクセスパラメータの調節に関する。例えば、この目的は、以下の手段、すなわち、ドローン‐ＵＥにおけるＵＬ送信電力を低減する；ドローン‐ＵＥのために長いハイバネーション周期を設定する；ドローン‐ＵＥの無線送信機をオフにする；サービス制限を適用する（すなわち、ドローン‐ＵＥについて、特定のベアラまたはサービスを無効にする）；（現在のサービングセルを変更することなく）ドローン‐ＵＥのＵＬトラフィックに使用されるように物理リソースを再設定する；例えば、低い周波数からより高い周波数へ（その逆も成立する）、スモールセルからマクロセルへ（その逆も成立する）、別のセルまたは周波数層へのハンドオーバをトリガする；主に全方向式ＵＬ送信の特性を、指向性の高いＵＬビーム送信に切り替える；特別なセルアドミッション制御法を使用して、例えば、（これらが「異常な高度」で動作する限り）特定のセルへのドローン‐ＵＥのアクセスを不許可し、（これらが再び「通常の」高度で動作するとすぐに）特定のセルへのドローン‐ＵＥのアクセスを許可する；別の無線アクセス技術（ＲＡＴ）へのハンドオーバをトリガする；近隣基地局、例えば、第１グレードネイバー（すなわち、ダイレクトネイバーのセル）、第２グレードネイバー、第３グレードネイバーなどとのＵＬリソース占有協調プロセス（Ｄ２ＤおよびＶ２Ｘトラフィックのリソース割り当てを含む）に参加し、従来の地上ＵＥの知覚されるスループット性能が（あまり）劣化しないようにする、のうち少なくとも１つを適用することによって達成できる。ドローン‐ＵＥの指示された無線アクセス能力、報告された高度、および／または、近隣基地局の少なくとも１つによって検出および／または報告された干渉のレベルに基づいて対策を決定することが有利である。
【００８２】
第７態様において、ドローン‐ＵＥの強化された「ＵＥ無線アクセス能力」が提供される。ドローン‐ＵＥは、この発明に関連する、以下のような少なくとも１つの能力を報告することが可能である。
高度報告（周波数、正確度、粒度など）
インフラストラクチャの命令に基づくＵＬ送信電力低減
近隣セルにおけるＵＬ干渉緩和のための、長いハイバネーション周期のサポート（Ｄ２ＤおよびＶ２Ｘ通信を含む）
無線送信機のスイッチオフ、特定のベアラの無効化、および、特定のサービスの無効化に対するサービス制限の適用
（現在のサービングセルを変化させない）ＵＬトラフィックに使用される物理リソースの再設定  ビームフォーミングのサポート（すなわち、主に全方向式ＵＬ送信から高指向性ＵＬビーム送信への切り替え）  ドローン‐ＵＥのための特別なセルアドミッション制御法の使用、例えば、（ドローン‐ＵＥが「異常な」高度で動作している限り）特定のセルへのアクセスを不許可し、（ドローン‐ＵＥが「通常」高度に戻るとすぐに）ドローン‐ＵＥが特定のセルにアクセスすることを許可する
近隣基地局、例えば、第１グレードネイバー（すなわち、ダイレクトネイバーのセル）、第２グレードネイバー、第３グレードネイバーなどとのＵＬリソース占有協調プロセスに参加する能力（Ｄ２ＤおよびＶ２Ｖトラフィックのためのリソース割り当てを含む）
段階的により多くの近隣セルを関与させるための反復的無線アクセスパラメータ制御方法のサポート
【００８３】
様々なドローン‐ＵＥ使用事例のためのＵＬ干渉緩和に関連する、上に列挙された能力のうち１または複数は、３ＧＰＰ  ＴＳ  ３６．３０６に定義されるＵＥ無線アクセス能力パラメータの一覧に含まれ得る。ＵＥ能力転送手順の途中でＲＲＣプロトコル層においてドローン‐ＵＥのためのＵＥ無線アクセスパラメータを交換できるように、これらのパラメータの符号化は、３ＧＰＰ  ＴＳ  ３６．３３１に従うべきである。
【００８４】
ＵＥ無線アクセス能力の一覧は、非常に長くなり得るので、ｅＮｏｄｅＢに、すべての能力のサブセットを尋ねさせることが有利であり得る。したがって、本発明は、ドローン‐ＵＥ、および、空における挙動に関連するこれらの能力だけをｅＮｏｄｅＢに要求させる。このために、ＵＥ能力要求メッセージにおける別のインジケーションが必要となる。
【００８５】
本発明の実施形態に対する様々な修正が考えられ得る。例えば、近隣セルにおいて発生するＤ２ＤまたはＶ２Ｘ通信の場合、サイドリンク通信に関して、近隣セルに及ぶ基地局は、ＵＬ信号劣化を検出および測定するタスクを、サイドリンク通信に関与する１または複数のＵＥに委任し得る。この場合、ＵＥは、サイドリンク上でドローン‐ＵＥによって引き起こされるＵＬ干渉を測定し、部分的に、または、全体的に、干渉レポートを生成する。第１段階において、レポートは、ＵＥから、近隣セルに及ぶそれらの基地局（基地局Ｂ）へ（例えば、ＬＴＥ  Ｕｕエアインタフェースを介して）送り返され、第２段階において、ドローン‐ＵＥのサービングセルを提供している基地局（基地局Ａ）は、上で説明したように、ノード間シグナリングを介して（例えば、Ｓ１またはＸ２インタフェースを介して）通知される。
【００８６】
「異常な高度」で動作しているＵＥの移動パターンの解析は、本発明の更に別の態様である。それを行うことにより、ＭＮＯは、高い建築物に位置する、通常は正常な干渉を引き起こす従来のＵＥ（すなわち、人のポケットに入れられて持ち運ばれ、したがって、少なく、非常に遅い動きを示すもの）と、ドローン‐ＵＥ（すなわち、高速（すなわち、歩行者の平均速度である約６ｋｍ／時より上）ですべての可能な方向に自由に動き、進行方向の変更が、予測される頻度であるもの）とを区別することが可能である。
【００８７】
飛行移動パターンは、高度値に加えて、ドローン‐ＵＥから要求される（選択肢Ａ「（高度に加えて）ＵＥによる移動パターンの報告」）か、または、一定時間にわたってアンテナ特性から取得される（選択肢Ｂ２「（高度に加えて）ネットワークインフラストラクチャが高性能のビームフォーミング解析によってＵＥの移動パターンを決定する」）かのいずれかであり得る。
【００８８】
ここで説明されるメッセージおよび／または情報要素（ＩＥ）の名前および符号化の変形例は、単に、例を目的としたものに過ぎないと理解されることに留意すべきである。パラメータおよびその値フィールドの符号化以外にも、関与するエンティティ間で情報を交換するための多くの他の選択肢がある。本発明は、ここで開示される符号化の例に限定するものでは決してない。
【００８９】
さらに、使用が提案されるパラメータは、何らかの方式で組み合わされ得る。例えば、それらは、新しい、または、既に存在する階層構造で揃えられ得る、または、例えばリストの形式で、他の情報要素（ＩＥ）と共にグループ化され得る。
【図１】
2020529757.tif 000007
【図２】
2020529757.tif 000008
【図３】
2020529757.tif 000009
【図４】
2020529757.tif 000010
【図５】
2020529757.tif 000011
【図６】
2020529757.tif 000012
【図７】
2020529757.tif 000013
【図８】
2020529757.tif 000014
【図９】
2020529757.tif 000015
【国際調査報告】
2020529757.tif 000016
2020529757.tif 000017
2020529757.tif 000018
2020529757.tif 000019
2020529757.tif 000020